(57)【要約】      （修正有）【課題】収納後に接続器が接続ケーブルに当接しぶら下がらず、不注意の衝突による接続器の損壊を抑制するＵＳＢケーブルを提供する。【解決手段】第一接続器１４と、第二接続器１６と、接続ケーブル１２と、拘束部材である短冊状ベルト１８と、を備える。接続ケーブル１２は、両端がそれぞれ第一接続器１４および第二接続器１６に電気的に接続されている。短冊状ベルト１８は、可撓性を有し、第一接続器１４又は第二接続器１６に結合されており、接続ケーブル１２を固縛し、短冊状ベルト１８が結合されている第一接続器１４又は第二接続器１６を接続ケーブル１２に当接させる。【選択図】図４
0003195501.tif 000002
【実用新案登録請求の範囲】
【請求項１】
第一接続器と、第二接続器と、接続ケーブルと、拘束部材と、を備え、
前記接続ケーブルは、両端がそれぞれ前記第一接続器および前記第二接続器に電気的に接続されており、
前記拘束部材は、可撓性を有し、前記第一接続器又は前記第二接続器に結合されており、前記接続ケーブルを固縛し、前記拘束部材が結合されている前記第一接続器又は前記第二接続器を前記接続ケーブルに当接させることを特徴とするＵＳＢケーブル。
【請求項２】
前記第一接続器および前記第二接続器のうち少なくとも一方は、金属コネクタ及び絶縁外殻を有し、
前記金属コネクタは、一部分が前記絶縁外殻に覆われており、他の部分が露出されており、
前記拘束部材は、前記絶縁外殻に結合されていることを特徴とする請求項１に記載のＵＳＢケーブル。
【請求項３】
前記拘束部材は、短冊状ベルトを有し、
前記短冊状ベルトは、一端が前記絶縁外殻に固定されており、一方の面に面ファスナのフック面が設けられており、他方の面に面ファスナのループ面が設けられており、前記接続ケーブルを巻きつけた後、前記面ファスナのフック面が前記面ファスナのループ面に粘着することで、前記接続ケーブルを固縛することを特徴とする請求項２に記載のＵＳＢケーブル。
【請求項４】
前記短冊状ベルトは、一端が熔接方式によって前記絶縁外殻に固定されておることを特徴とする請求項３に記載のＵＳＢケーブル。
【請求項５】
前記拘束部材は、本体及び二つの翼部を有し、
前記本体は、前記絶縁外殻に結合されており、
二つの前記翼部は、それぞれ前記本体の両側に接続されており、一方の前記翼部に接合部材が設けられており、他の前記翼部に被接合部材が設けられており、前記接続ケーブルを囲み、且つ前記接合部材と前記被接合部材が互いに結合することで前記接続ケーブルを固縛することを特徴とする請求項２に記載のＵＳＢケーブル。
【請求項６】
前記拘束部材の前記本体は覆設穴を有し、
前記絶縁外殻は、前記覆設穴を通ることを特徴とする請求項５に記載のＵＳＢケーブル。
【請求項７】
前記拘束部材の前記本体は、可撓性又は弾性を有し、外力によって変形可能であることを特徴とする請求項６に記載のＵＳＢケーブル。
【請求項８】
前記拘束部材において、前記本体及び二つの前記翼部は、織物であることを特徴とする請求項６に記載のＵＳＢケーブル。
【請求項９】
前記接合部材及び前記被接合部材は磁石であることを特徴とする請求項５に記載のＵＳＢケーブル。
【考案の詳細な説明】
【技術分野】
【０００１】
本考案は、情報通信機器と外部電子装置との連結装置に関し、特にＵＳＢケーブルに関する。
【背景技術】
【０００２】
従来のユニバーサルシリアルバス（ｕｎｉｖｅｒｓａｌ  ｓｅｒｉａｌ  ｂｕｓ，後述で「ＵＳＢケーブル」と略称する）は、両端が非対称式接続器を有する装置であり、異なる規格の接続ポートを備える様々な電子製品を接続することに幅広く応用されている。例えば行動装置、個人用パソコン、デジタルテレビ、ゲーム機及び撮影機材等に応用される。従って、需要に応じて多様な構造を有するＵＳＢケーブルを開発する必要がある。図１及び図２に示されるＵＳＢケーブルは、両端の接続器が一対一の設計を採用する普通のものである。また図３に示されるＵＳＢケーブルは、両端の接続器が一対多の接続関係を採用する。
【０００３】
ＵＳＢケーブルは、両端の接続器を接続する接続ケーブルの長さを変えることによって伝送距離を延長する。しかしながら、長すぎる接続ケーブルは収納における不便をもたらす。上述の問題を解決するために、図１に示すＵＳＢケーブル１の場合、使用者は、可撓性を有する線２（通常、絶縁プラスチックに覆われる金属線である）を利用し、折り畳み後の接続ケーブル１ａの中間部分を巻きつけ、後に線２の両端を螺旋状に巻き付け、接続ケーブル１ａを固縛する。また、折り畳みの接続ケーブルに、輪ゴム（図に示されない）を嵌めてもよい。他に、図２に示すＵＳＢケーブル３の場合、二本の線２を使用し接続ケーブル３ａを縛ることができる。上述の方式で接続ケーブルを縛りその散乱を防止できるが、実際の応用において、可撓性を有する線２及び輪ゴムを獲得しにくいまたは遺失しやすいおそれがある。
【０００４】
また、縛る習慣により縛り後の安定性を考えると、上述の可撓性を有する線２又は輪ゴムで直接に接続ケーブル１ａ（３ａ）の中間部分を巻きつける時、接続ケーブル１ａ（３ａ）の両端に位置する各接続器１ｂ（３ｂ）がぶら下がる状態になる。金属コネクタを含む接続器にとって、便利に挿入するために状況が一部分の金属コネクタを露出状態にならせる。接続器は、保護されない状況で、他のものに衝突したり、外力によって押し出されたりするため、異なる程度の変形が発生し、軽ければ挿入が困難になり、深刻であれば使用できず取り替える必要がある。結局、収納後にぶら下がる状態にある接続器１ｂ（３ｂ）は、外力に直接作用され、損壊しやすくなる。
【０００５】
図３に示すＵＳＢケーブル４は、接続ケーブルの一端が複数の嵌め込み式コネクタであるが、他端が露出した金属コネクタを備える接続器４ａである。従って上述の金属コネクタが損壊しやすいリスクが存在する。
【考案の概要】
【考案が解決しようとする課題】
【０００６】
本考案は、上述の問題に鑑みてなされたものであり、その目的は、収納後に接続器が接続ケーブルに当接しぶら下がらず、不注意の衝突による接続器の損壊を抑制するＵＳＢケーブルを提供することにある。
【課題を解決するための手段】
【０００７】
上述の目的を達成するために、本考案によるＵＳＢケーブルは、第一接続器と、第二接続器と、接続ケーブルと、拘束部材と、を備える。接続ケーブルは、両端がそれぞれ第一接続器および第二接続器に電気的に接続されている。拘束部材は、可撓性を有し、第一接続器又は第二接続器に結合されており、接続ケーブルを固縛し、拘束部材が結合されている第一接続器又は第二接続器を接続ケーブルに当接させる。
【０００８】
本考案は、便利に収納する、且つ拘束部材を遺失する恐れがなくまた重複利用することができる効果を有する。
【図面の簡単な説明】
【０００９】
【図１】従来のＵＳＢケーブルの縛り方を示す斜視図である。
【図２】従来のＵＳＢケーブルの縛り方を示す斜視図である。
【図３】従来のＵＳＢケーブルの両端の対応関係を示す斜視図である。
【図４】本考案の第一実施形態によるＵＳＢケーブルを示す斜視図である。
【図５】本考案の第一実施形態によるＵＳＢケーブルの縛り方を示す斜視図である。
【図６】本考案の第二実施形態によるＵＳＢケーブルを示す斜視図である。
【図７】本考案の第二実施形態によるＵＳＢケーブルの拘束部材の構造を示す斜視図である。
【図８】本考案の第二実施形態によるＵＳＢケーブルの縛り方を示す斜視図である。
【考案を実施するための形態】
【００１０】
（第一実施形態）
本考案をはっきり説明するために、優れた実施形態を挙げ、図面に基づいて詳細に説明する。図４に示すように、本考案の第一実施形態によるＵＳＢケーブル１０は、伝送距離を決めることに用いられる接続ケーブル１２、及び接続ケーブル１２の両端に電気的に接続される第一接続器１４及び第二接続器１６を含む。本実施形態において、第一接続器１４は、金属コネクタ１４ａ及び絶縁外殻１４ｂを含む。第二接続器１６は、金属コネクタ１６ａ  及び絶縁外殻１６ｂを含む。上述の各金属コネクタは、非対称式構造であり、且つ一部分がプラスチックで製造される絶縁外殻に覆われ、他部分が便利に電子製品の接続ポートに挿入し電気的に異なる電子製品に接続されるように露出を呈する。
【００１１】
ＵＳＢケーブル１０は、更に可撓性を備える拘束部材を有する。本実施形態において、拘束部材は、狭窄面を有する短冊状ベルト１８である。短冊状ベルト１８は、一面が面ファスナのフック面１８ａを設置
し、反対する他面が面ファスナのループ面１８ｂを設置する。短冊状ベルト１８の一端は、熔接を含みまた熔接に限らない方式で第一接続器１４の絶縁外殻１４ｂの側辺に固定され、例えば粘着方式を採用し固接してもよい。
【００１２】
ＵＳＢケーブル１０を使用せずその接続ケーブル１２を複数回折り畳み図５に示される状態になる時、使用者は、短冊状ベルト１８で直接に接続ケーブル１２を巻き付けた後、また面ファスナのフック面１８ａで面ファスナのループ面１８ｂを粘着し、接続ケーブル１２を固く縛ることができ、且つ面ファスナのフック面１８ａと面ファスナのループ面１８ｂが重なる位置の調整によって、拘束力を変えることができ、更にＵＳＢケーブル１０を効果的に収納する。短冊状ベルト１８が第一接続器１４の絶縁外殻１４ｂに固接されるため、遺失または収納困難の問題を解決することができ、重複利用可能な効果を有する。
【００１３】
短冊状ベルト１８が第一接続器１４の絶縁外殻１４ｂに固接されるため、短冊状ベルト１８で直接に接続ケーブル１２の中間部分を巻き付ける時、金属コネクタ１４ａを含む第一接続器１４は、図５に示すように折り畳み後の接続ケーブル１２の中間部分に位置し、且つ接続ケーブル１２に当接され、従ってぶら下がる状態にならない。更に、金属コネクタ１４ａが接続ケーブル１２の折り畳み範囲から露出せず、つまり金属コネクタ１４ａが接続ケーブル１２に保護される。従って、金属コネクタ１４ａが不注意で他の物と衝突し構造が損壊する確率が低減される。
【００１４】
（第二実施形態）
図６及び図７に示すように、本考案の第二実施形態によるＵＳＢケーブル２０は、同様に接続ケーブル２２、第一接続器２４及び第二接続器２６を備える。第一実施形態と異なる点は、ＵＳＢケーブル２０の拘束部材２８が織物で製作され本体２８ａ及び二つの翼部２８ｂを備える造形物（例えばエイ）であることにある。本体２８ａは、そのうち接続器の絶縁外殻がその中に通るように覆設穴２８ｃを備える。また本体２８ａは、外力によって変形をもたらす可撓性又は弾性を備え、それによって更に絶縁外殻に安定に結合されている。本第二実施形態において、拘束部材２８が第一接続器２４に結合されることを例とする。
【００１５】
ＵＳＢケーブル２０の拘束部材２８の二つの翼部２８ｂは、それぞれ本体２８ａの両側に接続され、そのうち翼部が接合部材２８ｄを備え、他の翼部が被接合部材２８ｅを備える。本第二実施形態において、接合部材２８ｄと被接合部材２８ｅは、磁石であり、且つそれぞれ翼部内部に覆われている。それによって、ＵＳＢケーブル２０を使用せずその接続ケーブル２２を折り畳み図８に示される状態になる時、二つの翼部２８ｂが接続ケーブル２２を囲み、且つ接合部材２８ｄと被接合部材２８ｅが磁気吸引作用で接続ケーブル２２を固く縛り、第一接続器２４と第二接続器２６が接続ケーブルに当接されぶら下がる状態にならない。従って、不注意の衝突による接続器の損壊を抑制することができる。
【００１６】
最後に再強調しなければならないのは、本考案において、拘束部材が主に接続器の絶縁外殻に結合されていることである。従って、どのような方式で接続ケーブルを折り畳んでも、接続ケーブルを固く縛る時、接続器が接続ケーブルに当接されぶら下がる状態にならないことを確保することができる。更に不注意の衝突による接続器の損壊を抑制することができる。
【００１７】
以上に述べたのは、本考案の実施形態を説明するためであり、本考案の範囲を制限することではない。本考案の説明書及び実用新案登録請求の範囲を応用する変化は、本考案の実用新案登録請求の範囲内に含まれている。
【符号の説明】
【００１８】
１０  ＵＳＢケーブル、
１２  接続ケーブル、
１４  第一接続器、
１４ａ  金属コネクタ、
１４ｂ  絶縁外殻、
１６  第二接続器、
１６ａ  金属コネクタ、
１６ｂ  絶縁外殻、
１８  短冊状ベルト、
１８ａ  面ファスナのフック面、
１８ｂ  面ファスナのループ面、
２０  ＵＳＢケーブル、
２２  接続ケーブル、
２４  第一接続器、
２６  第二接続器、
２８  拘束部材、
２８ａ  本体、
２８ｂ  翼部、
２８ｃ  覆設穴、
２８ｄ  接合部材、
２８ｅ  被接合部材。
【図１】
0003195501.tif 000003
【図２】
0003195501.tif 000004
【図３】
0003195501.tif 000005
【図４】
0003195501.tif 000006
【図５】
0003195501.tif 000007
【図６】
0003195501.tif 000008
【図７】
0003195501.tif 000009
【図８】
0003195501.tif 000010